(57)【要約】【課題】  挿入した針金や棒等を摘みに引っ掛け、或いは押すなどすることによるサムターン摘みの不正解錠が阻止できる防犯サムターンを得る。【解決手段】  防犯サムターン１００において、扉の屋内面Ｄs 側に固定される固定筒１と、固定筒１に回転自在に内設されるコア筒５と、コア筒５に軸線方向で移動自在に内設され固定筒１から突出可能となった摘み筒７と、摘み筒７を突出方向に付勢する付勢手段９と、コア筒５に対して摘み筒７を一定の回転範囲で回転自在に連結し、かつ一方の回転範囲端で摘み筒７を先端部から突出配置させるとともに、他方の回転範囲端で摘み筒７の先端面が固定筒１の先端部と略同一面となるように摘み筒７を後退配置させる係合手段１１とを設けた。【選択図】      図１
2006161365.tif 000002
【特許請求の範囲】
【請求項１】
扉の屋内面側に固定される固定筒と、
前記固定筒に回転自在に内設され錠箱の入出力軸に連結されるコア筒と、
該コア筒に軸線方向で移動自在に内設され前記固定筒の先端部から突出可能となった摘み筒と、
前記コア筒と該摘み筒との間に配設され該摘み筒を突出方向に付勢する付勢手段と、
前記コア筒に対して前記摘み筒を一定の回転範囲で回転自在に連結し、かつ一方の回転範囲端で前記摘み筒を前記先端部から突出配置させるとともに、他方の回転範囲端で前記摘み筒の先端面が前記固定筒の先端部と略同一面となるように前記摘み筒を後退配置させる係合手段と
を具備したことを特徴とする防犯サムターン。
【請求項２】
前記摘み筒の先端部の一部分に、軸線回りに回転自在な空転リングが設けられたことを特徴とする請求項１記載の防犯サムターン。
【請求項３】
前記摘み筒の先端面に、標示手段が設けられたことを特徴とする請求項１又は２記載の防犯サムターン。
【発明の詳細な説明】
【技術分野】
【０００１】
本発明は、扉の屋内面に突出させた摘みを回転し難い状態に設定可能とすることにより、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。
【０００５】
このようなサムターンに針金等を係止して回転させることを防止するものに例えば下記特許文献２に開示されるサムターン用防犯カバーがある。このサムターン用防犯カバーは、取付部及び本体部から構成される。取付部は、サムターンに被着した状態で、サムターンを容易に回転させることができる。また、本体部は、取付部に係止可能な係止部を有し、この係止部を介し取付部に対して空転自在となる。このサムターン用防犯カバーによれば、係止部の係止を解除して本体部を取付部から外して、取付部を被着した状態のサムターンを回転させて施解錠操作が可能となるとともに、取付部に本体部を取り付けることで、本体部が空転し、針金等を引っ掛けたり、棒で押し回したりする不正解錠、所謂サムターン回しを行い難くして、防犯性を向上させることができた。
【特許文献１】特公平２−１５７１５号公報（第１図ｂ，第１図ｃ）
【特許文献２】実公平４−４０３６２号公報
【発明の開示】
【発明が解決しようとする課題】
【０００６】
しかしながら、上記した従来の防犯カバーは、既設のサムターンに被せた場合、本来小判形状であることからその回転位置によって視認できたサムターンの施錠状態又は非施錠状態が視認不能となり、誤操作が生じ易くなり、操作性を低下させた。
【０００７】
また、サムターンを回転操作可能にする取付部と、この取付部に対し空転し、かつ着脱可能となる本体部との分離部材から構成されているため、脱着した本体部の保管管理が煩雑となり、本体部を紛失する虞もあった。
【０００８】
本発明は上記状況に鑑みてなされたもので、挿入した針金や棒等を摘みに引っ掛け、或いは押すなどすることによるサムターン摘みの不正解錠が阻止できるとともに、分離部材から構成されることによる煩雑な保管管理や紛失を防止でき、しかも、一般のサムターンと同様に摘みの垂直・水平姿勢から施解錠状態が容易に視認可能となる防犯サムターンを提供し、もって、サムターンの防犯性、操作性及び保管管理の容易性向上を図ることを目的とする。
【課題を解決するための手段】
【０００９】
次に、上記の課題を解決するための手段を、実施の形態に対応する図面を参照して説明する。
本発明の請求項１記載の防犯サムターン１００は、扉の屋内面Ｄs 側に固定される固定筒１と、
前記固定筒１に回転自在に内設され錠箱の入出力軸に連結されるコア筒５と、
該コア筒５に軸線方向で移動自在に内設され前記固定筒１の先端部から突出可能となった摘み筒７と、
前記コア筒５と該摘み筒７との間に配設され該摘み筒７を突出方向に付勢する付勢手段９と、
前記コア筒５に対して前記摘み筒７を一定の回転範囲で回転自在に連結し、かつ一方の回転範囲端で前記摘み筒７を前記先端部から突出配置させるとともに、他方の回転範囲端で前記摘み筒７の先端面が前記固定筒１の先端部と略同一面となるように前記摘み筒７を後退配置させる係合手段１１と、
を具備したことを特徴とする。
【００１０】
この防犯サムターン１００では、摘み筒７が後退配置されていると、摘み筒７の先端面が固定筒１の先端面と略同一面に配置され、従来のような板状の摘みが屋内側に突出しなくなる。また、正規の操作時には、後退配置されている摘み筒７を、一方の回転範囲端まで回転させることで、摘み筒７を固定筒１の先端部から突出配置させることが可能となる。さらに、コア筒５に対して一体に構成した摘み筒７は、軸線方向に移動自在に組み付けられ、従来の防犯カバーのような分離部材がない。
なお、先端部の平坦な略円錐形に形成されて、前記固定筒１を内方に収容する化粧リング３を設け、扉面にて固定筒１の周囲を覆うこととしても良い。
【００１１】
請求項２記載の防犯サムターン１００は、前記摘み筒７の先端部の一部分に、軸線回りに回転自在な空転リング１３が設けられたことを特徴とする。
【００１２】
この防犯サムターン１００では、摘み筒７が後退配置された場合、固定筒１の先端部に表出する摘み筒７の先端面の一部が、この空転リング１３となる。
【００１３】
請求項３記載の防犯サムターン１００は、前記摘み筒７の先端面に、標示手段１５が設けられたことを特徴とする。
【００１４】
この防犯サムターン１００では、摘み筒７が円柱状となり、従来の板状の摘みに比べて垂直・水平姿勢が視認し難い形状となっても、標示手段１５によって錠箱の施解錠状態が容易に把握可能となる。
【発明の効果】
【００１５】
本発明に係る請求項１記載の防犯サムターンによれば、係合手段によって摘み筒が後退配置されていると、摘み筒の先端面が固定筒の先端部と略同一面に配置され、従来のような板状の摘みが屋内側に突出しなくなる。したがって、板状のサムターンに、針金等を引っ掛けたり、板状のサムターンを棒等により押し回ししたりする不正解錠を有効に阻止することができる。また、正規の操作時には、後退配置されている摘み筒を、一方の回転範囲端まで回転させることで、摘み筒を固定筒の先端部から突出配置させ、摘み筒の先端部を摘んで回動操作することにより、コア筒を介して錠箱の入出力軸に回動操作力を入力して正規の施解錠操作を行うことができる。この場合、摘み筒の先端面を指先の接触摩擦で押し回ししなければならないので、棒等によっては摘み筒を操作可能な突出位置へ飛び出させる操作を行い難くすることができる。なお、摘み筒を突出させた状態においても、当該摘み筒が円柱形状であるので、針金や棒等による不正解錠が行い難くなる。さらに、コア筒に対して一体に構成した摘み筒を、軸線方向に移動自在に組み付けてあるので、従来の防犯カバーのように、分離部材がなく、脱着した分離部材の煩雑な保管管理や紛失をなくすことができる。この結果、サムターンの操作性及び防犯性を向上させ、かつ煩雑な保管管理を廃止することができる。
【００１６】
請求項２記載の防犯サムターンによれば、摘み筒の先端部の一部分に、軸線回りに回転自在な空転リングを設けたので、摘み筒が後退配置された場合、固定筒の先端部に表出する摘み筒の先端面の一部が、この空転リングとなり、後退配置状態の摘み筒の先端面を棒等によって押し回しして、摘み筒を操作可能な突出位置へ飛び出させる操作を行い難くすることができる。
【００１７】
請求項３記載の防犯サムターンによれば、摘み筒の先端面に、標示手段を設けたので、摘み筒が円柱状となり、従来の板状の摘みに比べて垂直・水平姿勢が視認し難い形状となっても、標示手段によって錠箱の施解錠状態が容易に把握可能となり、施錠状態であるにもかかわらず施錠操作を行ったり、解錠状態であるにもかかわらず、解錠操作を行ったりする誤操作を未然に防止し、操作性を高めることができる。
【発明を実施するための最良の形態】
【００１８】
以下、本発明に係る防犯サムターンの好適な実施の形態を図面を参照して詳細に説明する。
図１は本発明に係る防犯サムターンの縦断面図、図２は図１に示した防犯サムターンの斜視図、図３は図１に示した防犯サムターンの分解側面図、図４は図１に示した防犯サムターンの摘み筒押し込み状態の縦断面図、図５は図１に示した防犯サムターンの摘み筒突出状態の斜視図、図６は図１に示した防犯サムターンの摘み筒回動操作時の状況を表した縦断面図である。
本実施の形態による防犯サムターン１００が取付けられる図示しない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられた後述のサムターン摘み（以下、「摘み筒」と称す）を回動することによって扉の木口から進退可能となっている。
【００１９】
防犯サムターン１００は、固定筒１と、化粧リング３と、コア筒５と、摘み筒７と、付勢手段９と、係合手段１１と、空転リング１３と、標示手段１５とを主要な構成部材として有している。
【００２０】
固定筒１は、扉の屋内面Ｄs 側に固定される。すなわち、固定筒１は、扉又は錠箱に固定され、屋内面Ｄs 側へ突出されている。固定筒１の軸線方向一端側（図１の左側）の外周には一対の固定部２１，２１が突設され、固定部２１，２１は固定穴２３を有している。固定筒１は、扉内に設けられた錠箱等にこの固定穴２３を介してねじなどの固定手段にて固定される。
【００２１】
屋内面から突出した固定筒１の先端部には化粧リング３が外挿される。化粧リング３は、先端部２５の平坦な略円錐形に形成され、内方に固定筒１を収容する。したがって、図２に示すように、固定筒１、空転リング１３等は、化粧リング３の先端面のみで露出して化粧リング３に覆われることとなる。
【００２２】
固定筒１の内部にはコア筒５が回転自在に内設される。コア筒５は、一端側に断面十字状の連結軸２７が軸線方向に突出され、連結軸２７は図示しない錠箱の入出力軸に連結される。コア筒５の他端側には筒部２９が連設され、筒部２９は化粧リング３の先端面３１と、端面３３が略同一面となるように配置される。このコア筒５は、固定筒１に対し、軸線方向の移動が図示しないストッパー等によって規制されている。コア筒５を回転することによって、錠箱へは施解錠操作力が入力される。
【００２３】
コア筒５の筒部２９には摘み筒７が軸線方向で移動自在、かつ軸線回りに回転自在に内設されている。摘み筒７の先端面３５には空転リング１３が設けられる。空転リング１３は、コア筒５の先端面３５にビス３７により固定される標示手段１５によって軸線回りに回転自在に取り付けられる。すなわち、摘み筒７の先端部３９の一部分、本実施の形態では周縁部分は、この空転リング１３によって空転されるようになっている。
【００２４】
空転リング１３を回転自在に支持する標示手段１５は、図３に示すように例えば段部４１を有する円盤状に形成され、段部４１を空転リング１３の段部４３に係合させて、空転リング１３を回転自在に保持する。一方、標示手段１５の表面には線状の印、溝、刻印、或いは印刷からなる標示４５（図２参照）が形成され、この標示４５は摘み筒７の回転姿勢を視認可能とする。
【００２５】
コア筒５の筒部２９と、摘み筒７の外周とには係合手段１１が設けられている。この係合手段１１は、筒部２９の内周面に設けられた略Ｌ字状の溝部４７と、摘み筒７の外周に設けられこの溝部４７に係合する係合突起４９とからなる。溝部４７は、軸線方向に延在する長溝５１と、これに平行な短溝５３との一端同士を連結溝５５で連結して形成される。すなわち、この溝部４７に係合された係合突起４９は、連結溝５５を経由することで、短溝５３と長溝５１とに亘って移動可能となっている。本実施の形態では、これらの溝部４７及び係合突起４９が、一対ずつ設けられている。
【００２６】
摘み筒７は、この係合手段１１を介して筒部２９に係合することで、コア筒５に対して一定の回転範囲で連結されている。また、係合突起４９が短溝５３、長溝５１とを移動することで、一方の回転範囲端で摘み筒７を固定筒１及び化粧リング３の先端面３１から突出配置させるとともに、他方の回転範囲端で摘み筒７の先端面３５が固定筒１及び化粧リング３の先端面３１と略同一面となるように摘み筒７を後退配置可能としている。本実施の形態では、摘み筒７の先端面３５に空転リング１３が設けられるため、この空転リング１３が化粧リング３の先端面３１と略同一面となる。なお、本発明に係る防犯サムターンは、空転リング１３を省略してもよく、この場合には上記のように摘み筒７の先端面３５が化粧リング３の先端面３１と略同一面となる。
【００２７】
なお、後退配置の状態から、突出配置させる際には、図４に示すように。摘み筒７を短溝５３（図３参照）の長さ分軸線方向に押し込む。この状態で摘み筒７を連結溝５５（図３参照）に沿って回転させることで、係合突起４９を長溝５１側へ移動させ、付勢手段９の付勢力によって、図５に示すように、摘み筒７を突出配置させることが可能となる。この際、摘み筒７を押し込んだ後の回転操作は、標示手段１５の表面と、指の摩擦とによって行われる。
【００２８】
以上のように構成された防犯サムターン１００の作用を説明する。
通常時、防犯サムターン１００は、図５に示すように、摘み筒７が固定筒１の先端部及び化粧リング３の先端面３１から突出されている。したがって、突出した摘み筒７の外周を、図６に示すように、摘んで回動することで、摘み筒７に係合突起４９を介して連結されたコア筒５が回転され、錠箱への施解錠操作が可能となる。
【００２９】
一方、就寝時や外出時には、図４に示すように、摘み筒７を押し込み、係合突起４９が短溝５３に配置されるように、摘み筒７を連結溝５５に沿って若干回転させる。これにより、係合突起４９が短溝５３へ配置されると、摘み筒７が付勢手段９によって移動されても、係合突起４９が短溝５３に係合しているので、後退位置に配置され、図２に示すように、摘み筒７が固定筒１の先端部、化粧リング３の先端面３１から突出しない。
【００３０】
したがって、この防犯サムターン１００によれば、係合手段１１によって摘み筒７が後退配置されていると、摘み筒７の先端面が化粧リング３の先端面と略同一面に配置され、すなわち、扉面Ｄｓから化粧リング３の高さ分の突出部分のみとなり、従来のような板状の摘みが屋内側に突出しなくなる。したがって、針金等を引っ掛けたり、棒等により押し回ししたりする不正解錠を有効に阻止することができる。また、正規の操作時には、後退配置されている摘み筒７を、一方の回転範囲端まで回転させることで、摘み筒７を化粧リング３の先端面３１から突出配置させ、摘み筒７の先端部を摘んで回動操作することにより、コア筒５を介して錠箱の入出力軸に回動操作力を入力して正規の施解錠操作を行うことができる。
【００３１】
この場合、摘み筒７の先端面を指先の接触摩擦で押し回ししなければならないので、棒等によっては摘み筒７を操作可能な突出位置へ飛び出させる操作を行い難くすることができる。なお、摘み筒７を突出させた状態においても、当該摘み筒７が円柱形状であるので、針金や棒等による不正解錠が行い難くなる。さらに、コア筒５に対して一体に構成した摘み筒７を、軸線方向に移動自在に組み付けてあるので、従来の防犯カバーのように、分離部材がなく、脱着した分離部材の煩雑な保管管理や紛失をなくすことができる。この結果、サムターンの操作性及び防犯性を向上させ、かつ煩雑な保管管理を廃止することができる。
【００３２】
また、摘み筒７の先端部の一部分に、軸線回りに回転自在な空転リング１３を設けたので、摘み筒７が後退配置された場合、化粧リング３の先端部に表出する摘み筒７の先端面の一部が、この空転リング１３となり、後退配置状態の摘み筒７の先端面を棒等によって押し回しして、摘み筒７を操作可能な突出位置へ飛び出させる操作を行い難くすることができる。
【００３３】
さらに、摘み筒７の先端面に、標示手段１５を設けたので、摘み筒７が円柱状となり、従来の板状の摘みに比べて垂直・水平姿勢が視認し難い形状となっても、標示手段１５によって錠箱の施解錠状態が容易に把握可能となり、施錠状態であるにもかかわらず施錠操作を行ったり、解錠状態であるにもかかわらず、解錠操作を行ったりする誤操作を未然に防止し、操作性を高めることができる。
【００３４】
なお、上記の実施の形態では、摘み筒７の先端部に空転リング１３を設ける場合を例に説明したが、本発明に係る防犯サムターンは、空転リング１３を設けずに、摘み筒７単体の構成部材を用いてもよく、この場合においても、後退位置では摘み筒７の先端面が化粧リングの先端面３１と同一の平坦面となることで、棒等による不正操作を有効に防止することができる。
【００３５】
また、上記の実施の形態では、空転リング１３の断面形状を矩形状として、空転リング１３の外周面が摘み筒７の外周面と略同一周面となるよう構成したが、空転リング１３の断面形状を台形状とし、摘み筒７の先端側を擂鉢形状として空転リング１３の外周面が摘み筒７の先端部分内部に配置するような構造とすれば、摘み筒７の外周面積を増やすことが可能となり、摘み筒７の突出時における手指の摘み易さが向上することとなる。
【図面の簡単な説明】
【００３６】
【図１】本発明に係る防犯サムターンの縦断面図である。
【図２】図１に示した防犯サムターンの斜視図である。
【図３】図１に示した防犯サムターンの分解側面図である。
【図４】図１に示した防犯サムターンの摘み筒押し込み状態の縦断面図である。
【図５】図１に示した防犯サムターンの摘み筒突出状態の斜視図である。
【図６】図１に示した防犯サムターンの摘み筒回動操作時の状況を表した縦断面図である。
【符号の説明】
【００３７】
１…固定筒
５…コア筒
７…摘み筒
９…付勢手段
１１…係合手段
１３…空転リング
１５…標示手段
１００…防犯サムターン
Ｄs …側屋内面
【図１】
2006161365.tif 000003
【図２】
2006161365.tif 000004
【図３】
2006161365.tif 000005
【図４】
2006161365.tif 000006
【図５】
2006161365.tif 000007
【図６】
2006161365.tif 000008